(57)【要約】【課題】  低コストで撮影の自由度は確保しつつ、撮影時の被写体位置を照明効果や撮影効果が十分に得られる位置に自然に誘導して美しい仕上がりの写真シートを提供することができる写真自動販売機を提供する。【解決手段】  顔アップ撮影時には、撮影空間の中央付近に設置された背景カーテン１ａを下し、その背景カーテン１ａに対応した天井照明（１）のみを発光させる。また、前方照明の光量を抑える。これにより、被写体の位置に応じた照明で撮影を行なうことができる。【選択図】        図１５
2006010933.tif 000002
【特許請求の範囲】
【請求項１】
被写体を撮影するカメラを含む撮影手段と、前記撮影時に前記被写体を照明する照明手段とを含む写真自動販売機であって、
前記カメラの位置から前記被写体の撮影時の背景となる部材までの距離を変更する変更手段と、
前記変更手段の動作に応じて照明方法が変化するように前記照明手段を制御する制御手段とを備えた、写真自動販売機。
【請求項２】
前記カメラの位置からの距離が異なる複数の背景媒体を備え、
前記変更手段は、前記複数の背景媒体から用いる背景媒体を変更することで、前記カメラの位置から前記被写体の撮影時の背景となる部材までの距離を変更する、請求項１に記載の写真自動販売機。
【請求項３】
前記複数の背景媒体のうち、前記カメラの位置から比較的近い位置にある背景媒体の大きさを小さくしたことを特徴とする、請求項２に記載の写真自動販売機。
【請求項４】
撮影空間を仕切るための背景媒体を備え、
前記変更手段は、前記背景媒体を用いるか否かを変更することで、前記カメラの位置から前記被写体の撮影時の背景となる部材までの距離を変更する、請求項１に記載の写真自動販売機。
【請求項５】
撮影時の背景となる背景媒体を備え、
前記変更手段は、前記背景媒体の位置を変更することで、前記カメラの位置から前記被写体の撮影時の背景となる部材までの距離を変更する、請求項１に記載の写真自動販売機。
【請求項６】
前記背景媒体と共に移動する照明をさらに備えた、請求項５に記載の写真自動販売機。
【請求項７】
前記被写体を前方から照らす前面照明を備え、
前記制御手段は、
前記カメラの位置から前記被写体の撮影時の背景となる部材までの距離が比較的短い時には、前記前面照明の光量を弱くし、
前記カメラの位置から前記被写体の撮影時の背景となる部材までの距離が比較的長い時には、前記前面照明の光量を強くする、請求項１〜６のいずれかに記載の写真自動販売機。
【請求項８】
前記カメラの位置からの距離が異なる複数の照明を備え、
前記制御手段は、前記カメラの位置から前記被写体の撮影時の背景となる部材までの距離に応じて、前記複数の照明のうち対応するもののみをオンとする、請求項１〜７のいずれかに記載の写真自動販売機。
【請求項９】
位置を変えることができる照明を備え、
前記制御手段は、前記カメラの位置から前記被写体の撮影時の背景となる部材までの距離に応じて、前記照明の位置を変える、請求項１〜７のいずれかに記載の写真自動販売機。
【請求項１０】
撮影時の前記カメラの位置から前記被写体の撮影時の背景となる部材までの距離に関する情報を保持する保持手段と、
撮影画像の編集を行なう編集手段とを備え、
前記保持手段の保持結果に応じて撮影画像の編集画面を変更する、請求項１〜９のいずれかに記載の写真自動販売機。
【請求項１１】
被写体を撮影するカメラを含む撮影手段と、前記撮影時に前記被写体を照明する照明手段とを含む写真自動販売機を用いた写真撮影方法であって、
前記カメラの位置から前記被写体の撮影時の背景となる部材までの距離を変更する変更ステップと、
前記変更ステップでの変更動作に応じて照明方法が変化するように前記照明手段を制御する制御ステップとを備えた、写真撮影方法。
【請求項１２】
被写体を撮影するカメラを含む撮影手段と、前記撮影時に前記被写体を照明する照明手段とを含む写真自動販売機を制御するための写真撮影プログラムであって、
前記カメラの位置から前記被写体の撮影時の背景となる部材までの距離を変更する変更ステップと、
前記変更ステップでの変更動作に応じて照明方法が変化するように前記照明手段を制御する制御ステップとをコンピュータに実行させる、写真撮影プログラム。
【発明の詳細な説明】
【技術分野】
【０００１】
この発明は写真自動販売機および写真撮影方法に関し、特にユーザの所望する美しい仕上がりの写真を提供することのできる写真自動販売機および写真撮影方法に関する。
【背景技術】
【０００２】
近年、ゲームセンター等の遊戯を提供する店舗において、写真を撮影してシールプリント等にする写真自動販売機が数多く設置されている。このような写真自動販売機には、一般に利用者である被写体をカメラで撮影し、その撮影画像をタブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
このような写真自動販売機は、撮影の自由度を高めるため、被写体である利用者の全身を撮影する全身撮影が可能な程度に撮影空間（カメラと被写体の背景となる部材とで囲まれる空間）が広く確保される傾向にある。
【０００４】
また、このような写真自動販売機は、写真の仕上がりの美しさや被写体の写り具合のよさに人気度が影響されるため、撮影時に美しい写り具合を実現するために照明などに様々な工夫がなされている。
【０００５】
さらに、利用者によって写り具合の好みは異なるため、写り具合に関して複数の選択肢があり、利用者に所望の写り具合を選択させて、該選択された写り具合に対応した照明設定に制御するように構成されている写真自動販売機が登場している。
【０００６】
以下の特許文献１には、被写体の撮影手段側と反対側に、被写体のバックとなるスクリーン部材が設けられている写真自販機が開示されている。
【０００７】
特許文献２には、空間を仕切って撮影空間を演出するカーテンを、全面のカメラ側から背後に向かって多段に配置し、少なくとも最後段のカーテンの背後に、被写体を照射する照射装置とは別個に設けた複数の補助照明手段により、カーテンを背後から照射して撮影するように構成された写真シール印刷機が開示されている。
【０００８】
また、特許文献３には、検知手段で被写体を検知し、検知した被写体の状態に基づいて、出力画像の作成条件を変化させる写真シール自動販売方法が開示されている。
【特許文献１】特開２００２−２１４６８６号公報
【特許文献２】特許第３４９６６７２号公報
【特許文献３】特開２００３−１７３４７２号公報
【発明の開示】
【発明が解決しようとする課題】
【０００９】
しかしながら、空間が広くなることにより撮影時の被写体である利用者の位置どりは自由度が高くなるが、位置によっては設計された美しい写り具合を実現する照明効果を得られないという問題がある。
【００１０】
より具体的には、主に被写体のアップが美しく写るような照明設定、すなわち撮影手段の近傍付近をより効果的に照明するように構成されている場合、撮影手段から遠い背景カーテンなどの近傍に被写体が位置してしまうと美しい写り具合が実現できない。
【００１１】
また、主に被写体の全身が美しく写るような照明設定、すなわち撮影手段より遠い位置を効果的に照明するように構成されている場合、より遠くに光が届くように明るめの照明設定にするため、撮影手段の近傍付近に被写体が位置してしまうと白飛びしてしまうなど美しい写り具合が実現できない。このため、被写体である利用者を美しく撮影するための最適な位置に誘導する必要がある。
【００１２】
また、被写体と同様に背景画像に関しても、アップ撮影時の照明設定では被写体の背景画像となる背景カーテンが暗めに写る傾向にあり、発色の悪い背景画像となってしまう。背景画像の発色の美しさも、出来あがりの写真シールシートの仕上がりの美しさを決定するファクタとなるため、利用者が満足できる写真シールシートを提供できないという問題があった。
【００１３】
このように、美しい写り具合を実現する照明設定は、被写体の位置する場所によって異なるが、利用者は多様でより自由度の高い撮影を好む傾向があるため、限定した位置での撮影のみでは利用者の満足を得られないという問題があった。
【００１４】
また、特許文献１に開示されている写真自販機や、特許文献２に開示されている写真シール印刷機は、両者とも撮影空間を演出するカーテンを撮影空間に多段に配置しており、カーテンの素材等によって演出効果を高めることができるが、あくまで演出効果を高めるだけであって、上述のような撮影時の被写体の位置による照明効果の相違に関する問題は解決できない。
【００１５】
また、特許文献３に開示されている写真シール自動販売装置は、センサなどの検知手段によって被写体の位置などの状態を検知し、被写体の状態に応じた効果を得ることができるが、装置にセンサを利用するためコストが増大するという問題があった。また、被写体の位置に応じて好適な背景画像を提供できるものではないし、被写体を自然に好適な位置に誘導しうるものではない。
【００１６】
本発明はこれらの問題に鑑みてなされたものであって、低コストで撮影の自由度は確保しつつ、撮影時の被写体位置を照明効果や撮影効果が十分に得られる位置に自然に誘導して美しい仕上がりの写真シートなどを提供することができる写真自動販売機、および写真撮影方法を提供することを目的とする。
【課題を解決するための手段】
【００１７】
上記目的を達成するためこの発明のある局面に従うと、写真自動販売機は、被写体を撮影するカメラを含む撮影手段と、撮影時に被写体を照明する照明手段とを含む写真自動販売機であって、カメラの位置から被写体の撮影時の背景となる部材までの距離を変更する変更手段と、変更手段の動作に応じて照明方法が変化するように照明手段を制御する制御手段とを備える。
【００１８】
好ましくは写真自動販売機は、カメラの位置からの距離が異なる複数の背景媒体を備え、変更手段は、複数の背景媒体から用いる背景媒体を変更することで、カメラの位置から被写体の撮影時の背景となる部材までの距離を変更する。
【００１９】
好ましくは写真自動販売機は、複数の背景媒体のうち、カメラの位置から比較的近い位置にある背景媒体の大きさを小さくしたことを特徴とする。
【００２０】
好ましくは写真自動販売機は、撮影空間を仕切るための背景媒体を備え、変更手段は、背景媒体を用いるか否かを変更することで、カメラの位置から被写体の撮影時の背景となる部材までの距離を変更する。
【００２１】
好ましくは写真自動販売機は、撮影時の背景となる背景媒体を備え、変更手段は、背景媒体の位置を変更することで、カメラの位置から被写体の撮影時の背景となる部材までの距離を変更する。
【００２２】
好ましくは写真自動販売機は、背景媒体と共に移動する照明をさらに備える。
【００２３】
好ましくは写真自動販売機は、被写体を前方から照らす前面照明を備え、制御手段は、カメラの位置から被写体の撮影時の背景となる部材までの距離が比較的短い時には、前面照明の光量を弱くし、カメラの位置から被写体の撮影時の背景となる部材までの距離が比較的長い時には、前面照明の光量を強くする。
【００２４】
好ましくは写真自動販売機は、カメラの位置からの距離が異なる複数の照明を備え、制御手段は、カメラの位置から被写体の撮影時の背景となる部材までの距離に応じて、複数の照明のうち対応するもののみをオンとする。
【００２５】
好ましくは写真自動販売機は、位置を変えることができる照明を備え、制御手段は、カメラの位置から被写体の撮影時の背景となる部材までの距離に応じて、照明の位置を変える。
【００２６】
好ましくは写真自動販売機は、撮影時のカメラの位置から被写体の撮影時の背景となる部材までの距離に関する情報を保持する保持手段と、撮影画像の編集を行なう編集手段とを備え、保持手段の保持結果に応じて撮影画像の編集画面を変更する。
【００２７】
この発明の他の局面に従うと、被写体を撮影するカメラを含む撮影手段と、撮影時に被写体を照明する照明手段とを含む写真自動販売機を用いた写真撮影方法は、カメラの位置から被写体の撮影時の背景となる部材までの距離を変更する変更ステップと、変更ステップでの変更動作に応じて照明方法が変化するように照明手段を制御する制御ステップとを備える。
【００２８】
この発明のさらに他の局面に従うと、写真撮影プログラムは、被写体を撮影するカメラを含む撮影手段と、撮影時に前記被写体を照明する照明手段とを含む写真自動販売機を制御するための写真撮影プログラムであって、カメラの位置から被写体の撮影時の背景となる部材までの距離を変更する変更ステップと、変更ステップでの変更動作に応じて照明方法が変化するように照明手段を制御する制御ステップとをコンピュータに実行させる。
【発明の効果】
【００２９】
この発明に従うと、カメラの位置から被写体の撮影時の背景となる部材までの距離を変更することができ、その変更に応じて照明方法が変化するように照明手段が制御される。
【００３０】
これにより、低コストで撮影の自由度は確保しつつ、撮影時の被写体位置を照明効果や撮影効果が十分に得られる位置に自然に誘導して美しい仕上がりの写真シートなどを提供することができるという効果がある。
【発明を実施するための最良の形態】
【００３１】
［第１の実施の形態］
図１は、本発明の実施の形態の１つにおける写真自動販売機の外観の具体例を示す図である。
【００３２】
写真自動販売機は、筐体を含んで構成され、筐体に対して大きくわけて、撮影操作を行なう側の面と、撮影後の画像にいわゆるお絵描きや落書きと言われる、タッチペンによる画像やテキストなどの入力である編集操作を行なう側の面とを対にして備えている。図１は、撮影操作を行なう側の面を斜めから見た図である。
【００３３】
筐体は、コンピュータ装置１０１ａ，１０１ｂ、プリンタ１２、および制御部１０２（基板）などの各種機器類を収める。これらの詳細は、後に図３を用いて説明される。
【００３４】
また、写真自動販売機には、筐体の他に、筐体の撮影操作を行なう側の面と共に撮影空間を形成するパネルとフレーム材とが含まれる。これらで形成される撮影空間内には、被写体であるユーザの背後に、撮影時の背景を形成する背景部５が配備される。背景部５については後に詳細を説明する。
【００３５】
かかる写真自動販売機を用いる際、被写体であるユーザは筐体の撮影操作側の撮影空間に入り、筐体に相対する向きで撮影を行なう。そして、撮影の後、編集操作側の編集空間に入り、撮影した画像に、いわゆるお絵描きと呼ばれるスタンプ画像やテキストなどをペン入力する操作を筐体に相対する向きで行なう。なお、以降の説明において、便宜上、筐体の撮影操作側の面を正面とし、編集操作側の面を背面とする。
【００３６】
図１を参照して、筐体の正面には、被写体を撮像するためのカメラ２１と、カメラ２１から撮像される映像をリアルタイムで表示してユーザに撮像される映像を視覚確認させるためのライブモニタ２４と、ＢＧＭ、操作方法などのアナウンスを出力するスピーカ２３（不図示）と、デモ画面や撮影中の操作手順などを表示し、ユーザからの入力を受付けるタッチパネルディスプレイ２２と、対価である硬貨を投入するためのコイン投入口と、前面のメンテナンスなどを行なうためのフロントドアとが備えられる。
【００３７】
カメラ２１は、一般的にデジタルカメラが用いられる。一般的なデジタルカメラで設定できる項目（たとえばシャッタースピード、絞り値、露出補正、ホワイトバランスなど）の変更や、撮影タイミングは、コンピュータ装置１０１ａから指示される。
【００３８】
カメラ２１の周囲には、蛍光灯やフラッシュなどを内蔵し、被写体の照明を行なうための照明ボックス（前面照明）１８ａ〜１８ｄが備えられている。
【００３９】
さらに、筐体には、筐体の内部の熱を逃がすためのファンや、外部装置への画像の配信、リモートメンテナンスなどの、外部装置との通信を行なうときにケーブルを差込むためのＬＡＮ(Local Area Network)ケーブル差込口などが備えられていることが好ましい。
【００４０】
また、撮影空間内に配備される背景部５には、モータなどにより駆動される、様々な色や柄の背景カーテン１ａ，１ｂ，２ａ，２ｂが含まれ、それらを用いて撮影時の背景を形成する。背景カーテンは、巻き上げ式、引き出し式など、ユーザの手動操作によりセットされてもよいし、タッチパネルディスプレイ２２を操作することで自動的にセットされてもよい。
【００４１】
さらに、ユーザが撮影空間内に出入りできるように本装置の側面は開放されているが、利用者のプライバシーに配慮するため、または外部光を遮断するためなどの目的で、周囲と撮影空間とを区分するサイドカーテン（不図示）が備えらえてもよい。
【００４２】
また、本装置の側面には、ユーザに側面から光を照射する側面照明（図４、符号１８ｈ）が備えられており、天井部分には、ユーザに上部から光を照射する天井照明（１）１８ｆ、および天井照明（２）１８ｇが設けられている。
【００４３】
また、プリント取出口９付近には、印刷ＬＥＤ（Light Emitting Diode）１０および印刷エラーＬＥＤ１１が備えられる。それらが点灯あるいは点滅することによって、印刷中、あるいは印刷中に用紙切れ、インク切れ、用紙詰り、メカニカルエラーなどのエラーが発生していることが通知される。
【００４４】
図２に、かかる写真自動販売機を背面である編集操作側から見た斜視図を示す。
【００４５】
図２を参照して、筐体の背面には、撮影により得られた画像を表示して画像の編集を受付ける１つまたは複数のタブレットディスプレイ１３と、画像入力を行なうための１つまたは複数のタッチペン１４と、ユーザに対し音楽や操作方法の説明などを音声で出力するスピーカ（不図示）とが備えられる。
【００４６】
次に、かかる写真自動販売機の機能構成の具体例を図３に示す。
【００４７】
図３を参照して、本実施の形態にかかる写真自動販売機は、本写真自動販売機を動作させるための、主に撮影処理などを実行するコンピュータ装置１０１ａと、主に編集処理などを実行するコンピュータ装置１０１ｂと（これらを代表してコンピュータ装置１０１という）、基板から構成され、動作中のコンピュータ装置１０１からの指示を受付けて、接続されている各種装置を制御する制御部１０２とを備える。
【００４８】
コンピュータ装置１０１ａは、カメラ２１、ライブモニタ２４、タッチパネルディスプレイ２２、筐体１の内部にあるプリンタ１２、および制御部１０２と接続され、それらを制御する。コンピュータ装置１０１ｂは、編集部４０１に備えられるタブレットディスプレイ１３、タッチペン１４、外部と通信するための通信端末１１０、および筐体の内部にある制御部１０２と接続され、それらを制御する。さらに、コンピュータ装置１０１ａとコンピュータ装置１０１ｂとは互いに接続され、画像データや情報データなどの授受をピアツーピアで行なう。
【００４９】
なお、各コンピュータ装置１０１ａ，１０１ｂに各々接続される構成要素はこのような形態に限定されず、機能ごとに分かれていたり、位置ごとに分かれていたりしてもよい。さらに、コンピュータ装置１０１は本実施形態のような２台で構成されていなくてもよく、１台で構成されてもよいし、２台以上で構成されてもよい。
【００５０】
コンピュータ装置１０１は、コンピュータ装置１０１の制御を行なう演算装置であるＣＰＵ（Central Processing Unit）と、装置を動作させるためのプログラムおよびプログ
ラムで必要なグラフィックデータ、音声データ、撮影された画像や撮影画像に対して入力した編集画像その他の各種画像などを記憶する記憶部と、プログラムの一時的な作業領域ともなるメモリと、カメラ２１、プリンタ１２、タブレットディスプレイ１３などの周辺機器を制御するためのソフトウェアであるドライバ（不図示）とを含む。また、コンピュータ装置１０１はＬＡＮケーブルを介して外部機器と接続された場合に通信を行なう通信部を備えていてもよい。
【００５１】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ１２でシールが印刷されるものとして説明を行なうが、印刷媒体はシールに限定されず、他の印刷媒体であっても同様の処理が実行される。プリンタ１２は、上述の用紙切れなどの状態をコンピュータ装置１０１ａに通知する。コンピュータ装置１０１ａは、その状態に応じて制御部１０２に制御信号を送信する。
【００５２】
通信端末１１０は、本写真自動販売機で使用するために外部で用意された画像を外部装置から受信したり、本写真自動販売機で作成される画像を外部の端末やサーバなどに送信したりするための無線通信可能な端末であって、ＰＨＳ（Personal Handyphone System）などが用いられる。ＰＨＳはカード型のものを用いてもよい。また、外部の端末やサーバなどとインターネット網などのネットワーク網を通じて送受信可能なものであれば、通信端末１１０はＰＨＳに限定されない。
【００５３】
電源スイッチ３１が押され、本写真自動販売機に電源プラグより電源が投入されると、上記プログラムが起動されて、コンピュータ装置１０１ａは、接続されるカメラ２１のシャッタタイミングや、ライブモニタ２４での表示や、タッチパネルディスプレイ２２での表示やプリンタ１２での出力を制御する。コンピュータ装置１０１ｂは、接続されるタブレットディスプレイ１３での表示を制御する。
【００５４】
コンピュータ装置１０１ａは、上記プログラムの実行や撮影部のタッチパネルディスプレイ２２から受信した、ユーザの指などでタッチされることによって行なわれる入力操作にしたがった指示信号に基づいて、制御部１０２に対して制御信号を送信する。
【００５５】
また、コンピュータ装置１０１ａは、カメラ２１で撮影された画像を受信し該画像データを記憶部へ記憶する。
【００５６】
コンピュータ装置１０１ｂは、上記プログラムの実行や、編集部４０１のタブレットディスプレイ１３から受信した、タッチペン１４などでタッチされることによって行なわれる入力操作にしたがった指示信号に基づいて、制御部１０２に対して制御信号を送信する。
【００５７】
また、コンピュータ装置１０１ｂは、携帯端末やＰＣなどの外部端末から送信されてくる画像データ等を、通信端末１１０を介して受信する。これとは逆に、コンピュータ装置１０１ｂはコンピュータ装置１０１ｂに記憶されている画像データ等を通信端末１１０から所定のネットワークおよびサーバを介して携帯端末やＰＣなどの外部端末へ送信することもできる。
【００５８】
また、本写真自動販売機は、電源を必要とするコンピュータ装置１０１、照明装置１８
、制御部１０２などの電源系統を制御する電源制御部１０３を備え、外部からそれらの装置に対する電源の電圧を安定させるよう制御する。さらに、そのような電源の投入および切断は、電源スイッチ３１を押すことで行なわれる。しかし、電源切断によりコンピュータ装置１０１で動作しているプログラムを強制的に終了させることは、動作を不安定にさせる原因となる。そのため、電源が落とされても、しばらくはＵＰＳ（Uninterrupted Power Supply）１０４が電源をバックアップし、コンピュータ装置１０１に停電信号を送信する。その間に、コンピュータ装置１０１はプログラムの終了の手続を行ない、プログラムを正常に終了させる。一方、コンピュータ装置１０１を正規の手順で終了した場合は、その旨の信号がＵＰＳ１０４に送信される。
【００５９】
制御部１０２は、コンピュータ装置１０１および電源制御部１０３の他に、レリーズスイッチ２０、フラッシュ制御部１０６、スピーカ２３、サービスパネル１０５、コイン制御部１０７、印刷ランプ１０、エラーランプ１１、および背景部５に接続される。
【００６０】
レリーズスイッチ２０は、ユーザが撮影する時にユーザ所望の撮影するタイミングを指示するためのカメラ２１のシャッタ動作を遠隔操作するスイッチである。ユーザが、レリーズスイッチ２０を押下すると制御部１０２を介して該制御信号がコンピュータ装置１０１ａに送信され、さらにコンピュータ装置１０１ａから該制御信号がカメラ２１に送信されることによって、カメラ２１は撮影を行なう。
【００６１】
また、シャッタ動作を遠隔操作するものであれば、フットスイッチ、専用ボタンなどを備えても良い。
【００６２】
フラッシュ制御部１０６は、カメラ２１に接続され、カメラ２１におけるシャッタタイミングに応じた同期信号を取得する。そして、カメラ２１のシャッタタイミングに同期させて、フラッシュを発光させるように制御する。なお、フラッシュ制御部１０６は制御部１０２と接続され、発光させるフラッシュ２９の選定や、フラッシュ２９の発光度の設定がなされる。照明装置１８も同様に制御部１０２と接続され、その照明度合いなどの設定がなされる。
【００６３】
スピーカ２３は、コンピュータ装置１０１からの指示に従って、制御部１０２を介して指示信号を受信し、写真自動販売機のプレイにおける操作などの案内や、撮影時のＢＧＭなどを出力する。なお、スピーカ２３から出力する音声のボリュームを調整する音量調整つまみは、サービスパネル１０５に備えられる。
【００６４】
サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、およびコインを投入しなくても装置が利用できるようにするためのサービスボタン等を備えるパネルであって、当該写真自動販売機の設置者が各種設定やメンテナンスの操作を行なう際に用いられる。サービスパネル１０５は、サービスボタンの操作などの制御操作が行なわれると、その操作にしたがった制御信号を制御部１０２に対して送信する。
【００６５】
制御部１０２は、コンピュータ装置１０１から受信した制御信号（指示コマンドなど）にしたがって、サービスパネル１０５に対して制御信号を送信する。サービスパネル１０５は、該制御信号に従って、コインカウンタやプリントカウンタを動作させる（たとえばカウンタを１インクリメントする）。
【００６６】
コイン制御部１０７は、コイン投入口２６に投入されたコインの正当性を検出し、制御部１０２にコインが投入されたことを示す検出信号を送信する。
【００６７】
制御部１０２はコンピュータ装置１０１から受信した制御信号（指示コマンドなど）にしたがって、コイン制御部１０７に対して制御信号を送信する。コイン制御部１０７は、該制御信号にしたがって、コインが投入されないようにコイン投入口をブロックすることができる。このことで、たとえば、プレイ中にコイン投入を禁止することができる。
【００６８】
さらに、制御部１０２は、コンピュータ装置１０１ａから、プリンタ１２の状態に応じた制御信号を受信し、該制御信号にしたがって、印刷中ランプ１０、およびエラーランプ１１を制御する。かかる制御信号によって、印刷中ランプ１０、およびエラーランプ１１が点灯または点滅する。
【００６９】
また、制御部１０２は、コンピュータ装置１０１ａから、タッチパネルディスプレイ２２に対してユーザが所望の背景を選択する入力操作にしたがった指示信号を受信し、該指示信号にしたがって背景部５の背景カーテン（ロールスクリーン）の巻取装置を駆動するモータの動作を制御する。このようにモータの動作を制御することによって、ユーザが選択した背景画像が施されたロールスクリーンが背景部５にセットされる。
【００７０】
なお、言うまでもなく、写真自動販売機の形態は図１〜図３に示される具体例に限定されるものではない。すなわち、図１〜図３に記載されない他の機能が備えられていてもよいし、図１〜図３に記載されている機能の必ずしもすべてが備えられていなくても構わない。たとえば、プリンタ１２は写真自動販売機本体に含まれていなくてもよく、その場合、写真自動販売機は、ＬＡＮ等の専用回線や無線通信等を介して印刷制御信号をプリンタ１２に出力するものとする。
【００７１】
図４は、図１に示される写真自動販売機の撮影空間内の構成をその側部より見た図である。
【００７２】
図を参照して、写真自動販売機の前面にはカメラ２１、および前面照明１８ａ〜１８ｄが設置されている。また、写真自動販売機の天井部分には、カメラ２１に近い側に天井照明（１）１８ｆが設置されており、カメラ２１から遠い側に天井照明（２）１８ｇが設置されている。
【００７３】
また、写真自動販売機の側面やや後部よりには側面照明１８ｈが設置されている。側面照明１８ｈおよび天井照明（２）１８ｇは、カメラ２１から離れた位置にある被写体を明るく照らすための照明であり、天井照明（１）１８ｆはカメラ２１に比較的近い被写体を照射するための照明である。
【００７４】
また、図４に示されるように天井照明（１）１８ｆと天井照明（２）１８ｇとの間には、被写体がカメラ２１に近づいた位置に存在する場合において、その背景となるロールスクリーンからなる背景カーテン１ａ，１ｂが設置されている。
【００７５】
また、天井照明（２）１８ｇおよび側面照明１８ｈの後部には、被写体がカメラ２１から離れた位置に存在するときに背景となるロールスクリーンからなる背景カーテン２ａ，２ｂが設置されている。
【００７６】
以下、背景カーテン１ａ，１ｂと、その他背景に関する必要な部材とを総称して背景（１）（または前面背景）と呼び、背景カーテン２ａ，２ｂと、その他背景に関する必要な部材とを背景（２）（後面背景）と呼ぶ。背景（１）は撮影空間の略中央付近にあることが好ましい。
【００７７】
カメラ２１と背景（１）との間に被写体は位置することができ、そこに位置することによって顔アップ撮影になる程度の距離がある（顔だけが写るのでなくてもよい。被写体がアップで写っていればよい）。
【００７８】
背景（１）と背景（２）との間にも被写体が位置することができ、そこに位置することによって全身撮影になる程度の距離がある（全身が写らなくても、被写体が小さめに写っていればよい）。
【００７９】
背景（１）の背景カーテンを使用する場合は、被写体は背景（１）より前に位置しないと撮影できないため、自然に撮影部に近づいた位置どりで撮影することとなり、顔アップ撮影になる。背景（１）の背景カーテンを使用しない場合、全身撮影になる。
【００８０】
本実施の形態における写真自動販売機は、背景（１）が用いられるか背景（２）が用いられるかにより照明の制御を変え、被写体がどの位置に存在してもカメラ２１により写りのよい写真を撮影することができるものである。すなわち、撮影空間の略中央付近に設置した背景（１）の背景カーテンを背景画像として撮影を行なう場合と、背景（２）の背景カーテンを背景画像として撮影を行なう場合とでは異なる照明方法を適用する。
【００８１】
なお、ここでは被写体の背景となる背景媒体はカーテンとしているが、これに代えて、板状のもの、ドア、ＬＥＤ背景などを用いるようにしても良い。
【００８２】
図５は、選択された背景と、照明の制御との関係を示す図である。
【００８３】
図を参照して、前面にある背景（１）が選択された場合には、前面照明１８ａ〜１８ｄの光量を弱くすることで、被写体への照明が明るくなり過ぎないように制御が行なわれる。
【００８４】
また、背景（１）が選択されたときには、天井照明（１）１８ｆをオンとし、天井照明（２）１８ｇはオフとする。また、側面照明１８ｈもオフとする。
【００８５】
これは、背景（１）が用いられているときには、その後ろにある天井照明（２）１８ｇおよび側面照明１８ｈをオンとしておいても撮影とは関係がないためである。このような場合に天井照明（２）および側面照明１８ｈをオフとすることで、無駄な照明がなされることがなくなり、電気代などの装置の運営コストが安くなるというメリットがある。
【００８６】
また、背景（２）が選択されたときには、前面照明１８ａ〜１８ｄの光量を強くする。これにより、カメラ２１から離れた位置にある被写体を明るく照らすことが可能となる。
【００８７】
また、天井照明（１）１８ｆをオフとし、天井照明（２）１８ｇおよび側面照明１８ｈをオンとする。
【００８８】
これにより、写真自動販売機の比較的後ろの位置に存在する被写体を明るく照らすことができ、かつ天井照明（１）という効果の少ない照明をオフとすることができ、無駄な照明をなくすことで装置の運営コストを下げることができる。
【００８９】
なお、天井照明は１個だけでもよく、背景（１）を利用しない場合のみ発光するようにしてもよい。
【００９０】
図６は、本実施の形態における写真自動販売機の動作を示すフローチャートである。
図６のフローチャートに示される処理は、コンピュータ装置１０１ａのＣＰＵが、記憶装置に記憶されるプログラムをメモリに読出して実行することによって実現される。
【００９１】
まず、当該写真自動販売機に備わる電源スイッチ３１が投入されると、各種装置の電源が投入される。すると、コンピュータ装置１０１の記憶装置に格納された動作プログラムが起動する。コンピュータ装置１０１は、各種装置が正常に接続されているかチェックし、初期化が必要な装置に対しては初期化を行なう（Ｓ１）。その後、当該写真自動販売機の利用を促すタイトルデモをタッチパネルディスプレイ２２に表示し、同時に音声をスピーカ２３から出力する（Ｓ２）。
【００９２】
タイトルデモが表示されている状態で、コイン投入口において、当該写真自動販売機を利用するためのコインの投入を受付ける（Ｓ５）。なお、上述のコインの受付けに代えて、タイトルデモ表示中にテストボタンを押下することによって（Ｓ３）、当該写真自動販売機のメンテナンスを行なうためのテストモードが起動する（Ｓ４）。
【００９３】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００９４】
ここで写真自動販売機の設置者とは、当該写真自動販売機を設置し営業を行なっている店舗などの経営者、管理者、および従業員であり、営業中に、利用者に対応できるものである。
【００９５】
ステップＳ５で受付けたコインは、コイン制御部１０７において正当性や枚数等が検知される。そして、正常にコインを受付けるとプレイが開始される。
【００９６】
まず、当該写真自動販売機における処理（プレイ）は、撮影から始まる。はじめに、カメラ２１が取得する画像を、ライブモニタ２４にリアルタイムに表示する。ユーザは、ライブモニタ２４に表示される画像を見ながら、好みの表情やポーズをとることができる。なお、ここではカメラ２１が取得した画像をそのままライブモニタ２４に表示してもかまわないし、左右に反転処理して表示してもかまわない。左右に反転処理して表示した場合、ユーザの姿を鏡に写す方向と同じ方向でライブモニタ２４に表示することができる。そのため、ユーザは、ライブモニタ２４を見ながら好みの表情やポーズをとることが容易になる。
【００９７】
ユーザは、撮影時の背景となる背景画像（背景カーテン）の選択を含む利用者設定を行なう（Ｓ６）。写真自動販売機では、撮影に先だってディスプレイ２２に、撮影方法の選択画面を表示して背景に施される模様または色彩を各々提示し、タッチパネルディスプレイ２２で背景画像選択操作を受付ける。
【００９８】
ＣＰＵは、背景画像の選択操作を受付けると、選択された背景画像が被写体の背景となるように制御部１０２に信号を送信し、制御部１０２は、選択した背景画像が被写体の背景となるよう背景部５を制御する。さらに、背景画像に対応して、照明、カメラ設定などを変更し、撮影を開始する（Ｓ７）。
【００９９】
またここでは、背景画像の選択だけでなく、ディスプレイ２２に表示される操作画面およびスピーカ２３から流れる音声に従って、カメラ２１を好みの位置に移動させたり、カメラ２１を回転、または向きを調整したりすることができる。これらの指示は、タッチパネルディスプレイ２２などで受付ける。さらに、カメラ２１の近傍などにカメラ２１の向きやズーム等の指示を行なうボタンなどが備えられる場合には、それによってカメラ２１の向きやズーム等の指示を受付ける。そして、受付けた撮影モードや背景媒体などで撮影が行なわれる。
【０１００】
ここで図７を用いて、ユーザ所望の背景の色彩や柄を選択する処理について説明する。
【０１０１】
図７は、図６の利用者設定（Ｓ６）の内容を示すフローチャートである。
【０１０２】
図を参照して、ステップＳ１０１において、撮影方法選択画面をディスプレイ２２に表示し、ユーザからの入力を受付ける。
【０１０３】
ステップＳ１０２において、顔アップ撮影が選択されたのであれば、ステップＳ１０３において背景（１）のカーテンの選択画面を表示する。また、ステップＳ１０４において、ステップＳ１０３で選択されたカーテンを自動的にセットする。そして、図５に示されるテーブルに従い、背景（１）が選択された場合の照明方法（顔アップ撮影用の照明方法）を設定し、図６のフローチャートへ戻る。
【０１０４】
一方、ステップＳ１０２においてＮＯであれば、ステップＳ１０６で、背景（２）のカーテンの選択画面を表示し、ステップＳ１０７において、ステップＳ１０６で選択されたカーテンをセットする。また、図５のテーブルに従い、ステップＳ１０８で背景（２）が選択された場合の照明方法（全身撮影用の照明設定）を設定し、図６のフローチャートへ戻る。
【０１０５】
図８は、図７のステップＳ１０１で表示される撮影方法選択画面の具体例を示す図である。
【０１０６】
図を参照して、本画面において、ユーザは顔をアップとする撮影を行なうか、全身の撮影を行なうかを選択することができる。
【０１０７】
図９は、図７のステップＳ１０３で表示される背景（１）のカーテン選択画面を示す図である。
【０１０８】
図を参照して、この画面においてはユーザは顔をアップとする場合の背景（１）のうち所望の背景（ここでは図４における背景カーテン１ａまたは１ｂ）を選択することができる。
【０１０９】
図１０は、図７のステップＳ１０６で表示される背景（２）のカーテン選択画面の具体例を示す図である。
【０１１０】
図を参照して、この画面においてはユーザは全身の撮影を行なう場合の背景（２）のうち所望の背景（ここでは図４における背景カーテン２ａまたは２ｂ）を選択することができる。
【０１１１】
図１１は、図７のステップＳ１０４でカーテンをセットするときに表示される画面の具体例を示す図である。
【０１１２】
図を参照して、当該画面においては次の撮影がアップ撮影であることを示し、また、装置の前部にある背景カーテン１ａ，１ｂであるロールカーテンが下りてくることを示している。これにより、ユーザに撮影における立ち位置を示すことが可能となる。また、このとき音声やＬＥＤなどの発光により、どのカーテンが展開されるかを案内し、立ち位置誘導を行なってもよい。このような案内を行なうことで、ユーザの立ち位置誘導がよりスムーズにできるという効果がある。
【０１１３】
図１２は、図７のステップＳ１０７でカーテンをセットするときに表示される画面の具体例を示す図である。
【０１１４】
図を参照して、当該画面においては次の撮影が全身撮影であることを示し、また、装置の後部にある背景カーテン２ａ，２ｂであるロールカーテンが下りてくることを示している。これにより、ユーザに撮影における立ち位置を示すことが可能となる。
【０１１５】
また、ＣＰＵは、背景画像がユーザによって選択されると、選択された背景画像の識別子をメモリまたは記憶装置に保持するよう指示する（図６のステップＳ８）。ＣＰＵは、選択された背景画像の識別子を判別して、各々の処理において、各種構成要素の設定を行なう。背景媒体の設定は予め設定されている所定時間内に行なうものであって、所定時間内に行なわれない場合、または選択操作が行なわれない場合には、デフォルトとしてたとえば模様なしの背景などに自動的に設定されるものとする。
【０１１６】
撮影は、時間経過とともに「３、２、１」などのカウントダウンをタッチパネルディスプレイ２２あるいはスピーカ２３に出力して自動で行なうことができる。また、それぞれの背景の近傍に設けられた遠隔撮影ボタン（図示せず）やレリーズスイッチ２０やフットスイッチなどを押下することで行なってもよい。
【０１１７】
撮影は、コンピュータ装置１０１からカメラ２１に撮影信号が送信されることでシャッタが切られ、実行される。ステップＳ７では、このような撮影を所定回数繰返し行なう（Ｓ９）。
【０１１８】
次に、撮影した画像をディスプレイ２２に全て表示し、その中からユーザが気に入った画像（キープ画像）の選択を受付ける（Ｓ１０）。
【０１１９】
選択が終了すると、ユーザに対して、編集空間へ移動するように促す案内がディスプレイ２２に表示される。案内に従って、ユーザは編集空間へ移動する。そして、以降のユーザの操作は、編集空間で行なわれる。画像データなどは編集側のコンピュータ装置１０１ｂへ送信される（Ｓ１１）。
【０１２０】
なお、この実施の形態においては、背景（１）、（２）としてそれぞれ２つの背景カーテンを用いることとしたが、それぞれ１以上の背景カーテンを用いるのであれば、本発明を実施することができる。
【０１２１】
［変形例１］
図１３は、図７の利用者設定フローの変形例を示すフローチャートである。
【０１２２】
このフローチャートにおいては、１つの画面においてユーザが顔アップ撮影および全身撮影の背景を選択することができるものとしている。
【０１２３】
図１３を参照して、ステップＳ１０１において背景選択画面が表示される。ステップＳ１０２において背景が選択されたかが判定され、ＹＥＳであれば、ステップＳ１０３で選択された背景をセットする。
【０１２４】
また、ステップＳ１０４で、選択した背景に対応した照明の設定を図５のテーブルに基づいて行ない、図６のメインフローへ戻る。
【０１２５】
図１４は、図１３のステップＳ１０１で表示される背景選択画面の具体例を示す図である。
【０１２６】
図を参照して、この変形例においては１つの画面においてユーザが用いる背景カーテン１ａ，１ｂ，２ａ，２ｂの中から好きなものを選択することが可能である。
【０１２７】
［実施の形態における効果］
図１５は、顔アップ撮影時の照明設定の具体例を示す図である。
【０１２８】
ここでは、背景カーテン１ａが用いられるものとして、説明を行なっている。このとき、図５のテーブルに示されるように前面照明の光量は弱くされ、天井照明（１）はオンとされるが、天井照明（２）および側面照明はオフとなる。これにより、ユーザはカメラ２１と背景カーテン１ａと、前面照明と、天井照明（１）と床とで区画される撮影空間内に留まり、適切な光量で撮影を行なうことが可能である。また、天井照明（２）および側面照明をオフとすることで、無駄な照明がなされることが防止される。
【０１２９】
図１６は、全身撮影時の照明設定の具体例を示す図である。
【０１３０】
ここでは、背景カーテン２ｂが用いられるものとして、説明を行なっている。このとき、図５のテーブルに示されるように前面照明の光量は強くされ、天井照明（２）および側面照明はオンとされるが、天井照明（１）はオフとなる。これにより、ユーザはカメラ２１と背景カーテン２ｂと、前面照明と、天井照明（２）および側面照明と床とで区画される撮影空間内に留まり、適切な光量で撮影を行なうことが可能である。また、天井照明（１）をオフとすることで、無駄な照明がなされることが防止される。
【０１３１】
［変形例２］
上述の実施の形態においては、ユーザの設定に伴い背景カーテン（ロールスクリーン）をモータなどの制御により自動的に設定することとしたが、ユーザが手動で背景カーテンを下ろすことにより、背景の設定を行なうことにしてもよい。
【０１３２】
図１７は、本変形例における利用者設定処理（図６のＳ６）の内容を示すフローチャートである。
【０１３３】
図を参照して、ステップＳ１０１で図８に示される撮影方法選択画面を表示する。
【０１３４】
ステップＳ１０２で顔アップ撮影が選択されたかが判定され、ＹＥＳであればステップＳ１０３で背景（１）のカーテンの中からいずれかをセットする案内を音声や画面などに出力する。そして、ステップＳ１０４で、図５のテーブルに従い顔アップ撮影用の照明設定を行なう。
【０１３５】
一方、ステップＳ１０２でＮＯであれば、ステップＳ１０５で背景（１）のカーテンを収納し、背景（２）のカーテンの中からいずれかをセットする案内を出力し、ステップＳ１０６で全身撮影用の照明設定を行なう。
【０１３６】
図１８は、図１７のステップＳ１０３でディスプレイに表示される画面の具体例を示す図である。
【０１３７】
図を参照して、ユーザに対し顔アップで撮影が行なわれる旨が提示され、また、背景カーテン１ａまたは１ｂのいずれかを下ろす旨の指示がなされる。
【０１３８】
図１９は、図１７のステップＳ１０５でディスプレイに表示される画面の具体例を示す図である。
【０１３９】
図を参照して、ユーザに対し全身撮影が行なわれる旨が提示され、また、背景カーテン２ａまたは２ｂのいずれかを下ろす旨の指示がなされる。
【０１４０】
また、背景を手動で設定する場合、背景カーテンの先端にセンサをつけておき、降下している背景カーテンの中で最前列のものを判定してそれに基づきアップ撮影が行なわれるか、全身撮影が行なわれるかを検知し、照明を設定するようにしてもよい。
【０１４１】
［変形例３］
図２０は、写真自動販売機の変形例を示す図である。
【０１４２】
カメラから遠距離に存在する背景カーテン２ａ，２ｂは、広い範囲がカメラに写り込むため、大きなものが必要であるが、比較的カメラに近い位置にある背景カーテン１ａ，１ｂはカメラに写り込む範囲が狭いため、小さなものを用いることができる。具体的には、撮影範囲内の大きさであればよく、背景カーテン１ａ，１ｂを床まで届くようなロールスクリーンにする必要はない。
【０１４３】
このように、背景カーテンの位置（カメラから背景までの距離）によって、背景媒体の大きさを変更し、撮影範囲内のものとすることで、前方の背景の大きさを小さくすることができ、低コストで装置を構成することができる。また、アップの撮影時には、ユーザの足元は写らないので、背景を小さくしても特に問題は生じない。
【０１４４】
［第２の実施の形態］
図２１は、本発明の第２の実施の形態における写真自動販売機の構成を示す図であり、図４に対応する図である。
【０１４５】
図を参照して、本実施の形態においては第１の実施の形態における装置の構成と比較して、背景カーテン２ａ，２ｂが用いられていない。本実施の形態においては、撮影空間の中央付近に固定的に設けられた背景カーテン１ａ，１ｂを用いるか否かにより、照明の制御を行なう。背景カーテン１ａ，１ｂを用いない場合には、カメラに対向する壁が実質的な背景となる。
【０１４６】
図２２は、第２の実施の形態における照明の制御を示す図である。
【０１４７】
図を参照して、背景（１）が選択された場合には、前面照明１８ａ〜１８ｄの光量を弱くすることで、被写体への照明が明るくなり過ぎないように制御が行なわれる。
【０１４８】
また、背景（１）が選択されたときには、天井照明（１）１８ｆをオンとし、天井照明（２）１８ｇはオフとする。また、側面照明１８ｈもオフとする。
【０１４９】
これは、背景（１）が用いられているときには、その後ろにある天井照明（２）１８ｇおよび側面照明１８ｈをオンとしておいても撮影とは関係がないためである。このような場合に天井照明（２）および側面照明１８ｈをオフとすることで、無駄な照明がなされることがなくなり、電気代などの装置の運営コストが安くなるというメリットがある。
【０１５０】
また、背景（１）が用いられないときには、前面照明１８ａ〜１８ｄの光量を強くする。これにより、カメラ２１から離れた位置にある被写体を明るく照らすことが可能となる。
【０１５１】
また、背景（１）が用いられないときには、天井照明（１）１８ｆをオフとし、天井照明（２）１８ｇおよび側面照明１８ｈをオンとする。
【０１５２】
これにより、写真自動販売機の比較的後ろの位置に存在する被写体を明るく照らすことができ、かつ天井照明（１）という効果の少ない照明をオフとすることができ、無駄な照明をなくすことで装置の運営コストを下げることができる。
【０１５３】
図２３は、第２の実施の形態における利用者設定の内容を示すフローチャートである。
【０１５４】
図を参照して、ステップＳ１０１において、撮影方法選択画面をタッチパネルディスプレイ２２に表示し、ユーザからの入力を受付ける。
【０１５５】
ステップＳ１０２において、顔アップ撮影が選択されたのであれば、ステップＳ１０３において背景（１）のカーテンの選択画面を表示する。また、ステップＳ１０４において、選択されたカーテンを自動的にセットする。そして、図２２に示されるテーブルに従い、背景（１）が選択された場合の照明方法（顔アップ撮影用の照明方法）を設定し、図６のフローチャートへ戻る。
【０１５６】
一方、ステップＳ１０２においてＮＯであれば、ステップＳ１０６で、背景（１）のカーテンを収納し、ステップＳ１０７で、図２２のテーブルに従い、背景（１）を用いない場合の照明方法（全身撮影用の照明設定）を設定し、図６のフローチャートへ戻る。
【０１５７】
［第３の実施の形態］
図２４は、本発明の第３の実施の形態における写真自動販売機の構成を示す図であり、図４に対応する図である。
【０１５８】
図を参照して、本実施の形態においては第１の実施の形態における装置の構成と比較して、背景（１）〜（４）が略等間隔に４つ設置されており、それぞれの背景（１）〜（４）の前方に天井照明（１）〜（４）が設置されている。
【０１５９】
本実施の形態においては、用いられた背景カーテンの手前（カメラ２１に接近する側）にある天井照明をオンとする。
【０１６０】
図２５は、第３の実施の形態における照明の制御を示す図である。
【０１６１】
図を参照して、前面にある背景（１）が選択された場合には、前面照明１８ａ〜１８ｄの光量をもっとも弱くする（光量＝１とする）ことで、被写体への照明が明るくなり過ぎないように制御が行なわれる。
【０１６２】
また、背景（１）が選択されたときには、天井照明（１）をオンとし、残りの天井照明（２）〜（４）はオフとする。
【０１６３】
背景（２）が選択された場合には、前面照明１８ａ〜１８ｄの光量を若干強くする（光量＝２とする）。また、背景（２）が選択されたときには、天井照明（２）をオンとし、残りの天井照明（１）、（３）、（４）はオフとする。
【０１６４】
背景（３）が選択された場合には、前面照明１８ａ〜１８ｄの光量をさらに強くする（光量＝３とする）。また、背景（３）が選択されたときには、天井照明（３）をオンとし、残りの天井照明（１）、（２）、（４）はオフとする。
【０１６５】
背景カーテン（４）が選択された場合には、前面照明１８ａ〜１８ｄの光量を最も強くする（光量＝４とする）。また、背景（４）が選択されたときには、天井照明（４）をオンとし、残りの天井照明（１）〜（３）はオフとする。
【０１６６】
これにより、写真自動販売機の比較的後ろの位置に存在する被写体を明るく照らすことができ、かつ効果の少ない照明をオフとすることができ、無駄な照明をなくすことで装置の運営コストを下げることができる。
【０１６７】
図２６は、背景（１）が用いられる時の照明設定の具体例を示す図である。
【０１６８】
このとき、図２５のテーブルに示されるように前面照明の光量は弱くされ、天井照明（１）はオンとされるが、天井照明（２）〜（４）はオフとなる。これにより、ユーザはカメラ２１と背景（１）と、前面照明と、天井照明（１）と床とで区画される撮影空間内に留まり、適切な光量で撮影を行なうことが可能である。また、天井照明（２）〜（４）をオフとすることで、無駄な照明がなされることが防止される。
【０１６９】
図２７は、背景（４）が用いられる時の照明設定の具体例を示す図である。
【０１７０】
このとき、図２５のテーブルに示されるように前面照明の光量は強くされ、天井照明（４）はオンとされるが、天井照明（１）〜（３）はオフとなる。これにより、ユーザはカメラ２１と背景（４）と、前面照明と、天井照明（４）と床とで区画される撮影空間内に留まり、適切な光量で撮影を行なうことが可能である。また、天井照明（１）〜（３）をオフとすることで、無駄な照明がなされることが防止される。
【０１７１】
図２８は、第３の実施の形態における利用者設定の内容を示すフローチャートである。
【０１７２】
図を参照して、ステップＳ１０１において、撮影位置選択画面をディスプレイ２２に表示し、ユーザからの入力を受付ける。
【０１７３】
ステップＳ１０２において、位置が選択されたのであれば、ステップＳ１０３において選択された位置に対応する背景カーテンを自動的にセットする。そして、図２５に示されるテーブルに従い、対応する照明方法を設定し（Ｓ１０４）、図６のフローチャートへ戻る。
【０１７４】
図２９は、図２８のステップＳ１０１で表示される位置選択画面の具体例を示す図である。
【０１７５】
図を参照して、ユーザは用いる背景（１）〜（４）のそれぞれに対応した撮影位置（前、少し前、少し後ろ、後ろ）の中から好きなものを選択することが可能である。
【０１７６】
このようにして本実施の形態では、カメラからの距離が異なる複数の背景カーテンを設置し、使用している背景カーテンに対応して異なる照明方法を適用することができる。より具体的には、カメラから離れた背景部の背景カーテンを使用しているときほど前面照明を強くすることができ、また使用している背景部によって発光する天井照明を変えることができる。
【０１７７】
なお、カーテンが降下する順番を制御し、前のカーテンあるいは後ろのカーテンから順番にカーテンを下し、撮影を行なうと、ユーザがカーテンとカーテンの間に挟まれることや、カーテンの後ろにユーザが入り込むことを防止することができる。すなわち例えば、背景（４）を用いた後に、背景カーテン（１）を用いる時には、背景（３）→（２）→（１）の順にカーテンを下ろしていくことで、ユーザが前に行くように促すことができる。
【０１７８】
［第４の実施の形態］
図３０は、本発明の第４の実施の形態における写真自動販売機の構成を示す図であり、図４に対応する図である。
【０１７９】
図を参照して、本実施の形態においては第１の実施の形態における装置の構成と比較して、背景カーテン２ａ，２ｂは用いられておらず、レール上をモータなどにより（あるいは手動で）移動する背景カーテン１ａ，１ｂが設けられている。また、天井照明も、背景カーテンの移動と共に一体的に移動するように構成されている。
【０１８０】
本実施の形態においては、背景カーテン１ａ，１ｂおよび天井照明の位置によって、前面照明の光量と側面照明のオン／オフを制御する。
【０１８１】
図３１は、第４の実施の形態における照明の制御を示す図である。
【０１８２】
図を参照して、背景カーテン１ａ，１ｂおよび天井照明の位置が前方（図３０の範囲Ａ）にある場合には、前面照明１８ａ〜１８ｄの光量を弱くすることで、被写体への照明が明るくなり過ぎないように制御が行なわれる。また、側面照明をオフとする。
【０１８３】
また、背景カーテン１ａ，１ｂおよび天井照明の位置が後方（図３０の範囲Ｂ）にある場合には、前面照明１８ａ〜１８ｄの光量を強くすることで、被写体への照明が明るくなるように制御が行なわれる。また、側面照明をオンとする。
【０１８４】
また、センサなどを用いて被写体の位置検出を行なうことによって自動的に背景と天井照明が移動するように写真自動販売機が制御されてもよい。また、フットスイッチや遠隔撮影ボタンなどシャッタ動作を行なう遠隔操作手段を撮影空間内に設置し、どの遠隔操作手段が操作されたかを判定することによって、被写体の位置を特定し、背景と天井照明が移動するよう制御されてもよい。
【０１８５】
［第５の実施の形態］
第５の実施の形態における写真自動販売機は、図６のステップＳ８で設定された撮影画像ごとに設定されたフラグを利用して、アップ撮影、全身撮影に対応して編集用画面を変更する。すなわち、編集のデフォルト画面では、その画像に最適な大きさのスタンプの選択画面などが表示される。撮影方法に対応して編集画面が切替えられ、アップの画像用では大きめのスタンプや顔関連のスタンプを充実させる。
【０１８６】
これにより、仕上がりのよい写真シールシートを提供できる。また、編集がスムーズになるという効果がある。
【０１８７】
図３２は、編集用のコンピュータ装置１０１ｂでの処理を示すフローチャートである。
【０１８８】
撮影が終了すると、ユーザに対して、編集空間へ移動するように促す案内がディスプレイ２２に表示される。案内に従って、ユーザは編集空間へ移動する。以降のユーザの操作は、編集空間で行なわれる。
【０１８９】
図３２を参照して、電源投入に合わせてステップＳ２１で初期化が行なわれる。ステップＳ２２で待機画面をタブレットディスプレイ１３に表示する。
【０１９０】
ステップＳ２３で、撮影側のコンピュータ装置１０１ａから画像データの受信が開始されたかが判定され、ＹＥＳであれば、ステップＳ２４で編集待機画面を表示する。
【０１９１】
ステップＳ２５でデータの受信が完了したかが判定され、ＮＯであれば、ステップＳ２４の処理を繰り返す。ステップＳ２５でＹＥＳとなれば、ステップＳ２６で編集画面をタブレットディスプレイ１３に表示し、ユーザから編集の入力を受け付ける。
【０１９２】
ステップＳ２７で編集時間が終了したか、または終了ボタンが押下されたかが判定され、ＮＯであればステップＳ２６に戻り、ＹＥＳであればステップＳ２８で印刷レイアウトの選択をユーザから受付け、ステップＳ２９でそのレイアウトで印刷を行なう。
【０１９３】
図３３は、図３２の編集処理（Ｓ２６）の内容を示すフローチャートである。
【０１９４】
この処理においては、キープ画像をタブレットディスプレイ１３に全て表示し、その中からユーザが気に入った画像をタッチペン１４のタッチによって受付ける（Ｓ２０１）。
【０１９５】
ユーザからの選択を受付けると、その画像に対して設定されたフラグを確認し、顔アップ撮影で得られた画像であることを示すフラグがオンとなっているかがステップＳ２０２で判定される。
【０１９６】
ステップＳ２０２でＹＥＳであれば、ステップＳ２０３で、タブレットディスプレイ１３に顔アップ撮影用編集画面を表示し、その中に選択された画像を表示する。
【０１９７】
図３４は、顔アップ撮影用編集画面の具体例を示す図である。ここでは、撮影画像自体の画像編集などの画像処理を行なうことができ、ユーザの好みにより撮影した画像を調整または加工することができる。
【０１９８】
編集入力中、タブレットディスプレイ１３に、編集入力対象とするキープ画像を切換えるためのボタンや、編集を行なうための編集ツールである「ペン」「スタンプ」「フレーム」「スペシャル」、編集入力した画像を消すための「けしごむ」、入力操作を１つ前の状態に戻すための「ひとつもどる」、編集用画像入力を最初からやり直すための「はじめから」、などのボタンを表示する。ユーザは、これらのボタンをタッチペン１４で押すことで使用するツールを選択する。
【０１９９】
ユーザは、色、柄などを選択した後、表示された画像上で編集入力を行なう。編集中には、撮影された画像と編集入力された画像とをそれぞれ別の画層（レイヤ）に展開し、タブレットディスプレイ１３上にそれら画層を重ねて表示する。それぞれの画層のどちらを上に表示するかは、用途により設定されている。例えば、編集入力された画像を撮影された画像の前景画像とする場合には、編集入力された画像が上の画層となる。
【０２００】
さらに編集入力された画像は、スタンプ画像の層、フレーム画像の層など、それぞれ複数の画層で構成されていてもよい。
【０２０１】
図３４に示されるように、顔アップ撮影用編集画面では、たとえばスタンプとして、アップの顔にサイズが一致する王冠、リボン、めがね、サングラス、眉毛などを表示する。また、デフォルトでスタンプのサイズを大きくする。これにより、ユーザは顔アップに対応したスタンプ画像の入力が可能である。
【０２０２】
ステップＳ２０２でＮＯであれば、ステップＳ２０４でタブレットディスプレイ１３に全身撮影用編集画面を表示し、その中に選択された画像を表示し、編集を受付ける。
【０２０３】
図３５は、全身撮影用編集画面の具体例を示す図である。
【０２０４】
ここでは、たとえばスタンプとして、全身の画像にサイズが一致する模様、キャラクタなどを表示する。また、デフォルトでスタンプのサイズを小さくする。これにより、ユーザは全身画像に対応したスタンプ画像の入力が可能である。
【０２０５】
本実施の形態において、編集入力するための編集画面および編集ツール（フレーム、スタンプ、ペンなど）は、前述の撮影時にユーザが選択した背景媒体の位置に対応して変更される。より詳しくは、入力可能なスタンプ画像、フレーム画像など（または、最初に表示されるデフォルト画面）が、背景媒体の位置に応じて変更される。
【０２０６】
このようにすることにより、ユーザは撮影距離に調和した編集をすることが簡単に可能になり、更に編集ツールを選択する際に撮影距離を意識しなくても、自然に統一感のとれた編集が行える。このことにより、顧客満足度が向上する。
【０２０７】
以上の処理が、１組のユーザが本実施の形態の写真自動販売機で行なうプレイである。そして、上述の処理を終了すると、次にコインが投入されるまで、再度タイトルデモをスピーカ２３およびタブレットディスプレイ１３から出力する。
【０２０８】
なお、上述の実施の形態では、１組のユーザが利用する形態を説明したが、図１に示すとおり、撮影を行なう撮影空間と撮影された画像に編集を行なう編集空間とが異なる場所に設置されていることから、２組の利用者が写真自動販売機を同時に利用することもできる。この場合、先の利用者が撮影を終了し編集空間に移動すると、ディスプレイ２２にはデモ画像が表示され、次の利用者のコイン投入を受付ける。そして、コインが投入されると、次の利用者の撮影が開始される。
【０２０９】
なお、本装置においては、撮影空間と編集空間とを異なる位置に設けるように説明したが、これに限定されるものではなく、１つの空間において、撮影および編集が行われるようにしてもよい。また、撮影空間が複数あっても良いし、編集空間が複数あっても良い。
【０２１０】
［第６の実施の形態］
図３６は、本発明の第６の実施の形態における写真自動販売機の構成を示す図であり、図４に対応する図である。
【０２１１】
図を参照して、本実施の形態においては第１の実施の形態における装置の構成と比較して、固定して備えられる背景（１）の背景カーテン１ａ，１ｂと、同じく固定して備えられる背景（２）の背景カーテン２ａ，２ｂと、レール上をモータなどにより（あるいは手動で）移動する天井照明とが設けられている。背景（１）を撮影時の背景として使用するときは、カメラ２１に近接する方向へ天井照明が移動し、背景（２）を撮影時の背景として使用するときは、カメラ２１に離反する方向へ天井照明が移動するよう制御が行われる。
【０２１２】
図３７は、第６の実施の形態における天井照明の移動機構を斜めから見た図であり、図３８は第６の実施の形態における天井照明の移動機構を正面から見た図である。
【０２１３】
図を参照して、天井照明３０３の両側面にはローラなどの回転機構が備えられている。撮影空間の上側面を走るレール３０４ａ，３０４ｂ上をローラが回転して移動することによって天井照明３０３は撮影方向に向かって前後に移動する。この移動はモータなどを用いて自動で移動するよう制御してもよいし、あるいは手動で移動できるようにしてもよい。
【０２１４】
背景カーテン１ａ，１ｂを収納する収納部３０１は、レール３０４ａ，３０４ｂに固定されている。本実施の形態においては、天井照明３０３は移動する時に、背景（１）のカーテンを収納する収納部３０１の下を通過する機構になっている。
【０２１５】
本実施の形態においては、背景カーテン１ａ，１ｂおよび天井照明の位置によって、前面照明の光量と側面照明のオン／オフを制御する。第６の実施の形態における照明の制御は、第４の実施の形態における照明の制御と同様であり詳細な説明は繰返さない。
【０２１６】
［第７の実施の形態］
図３９は、第７の実施の形態における写真自動販売機の構成を示す図であり、図４に対応する図である。
【０２１７】
図を参照して、本実施の形態においては第６の実施の形態における装置の構成と比較して、背景カーテン２ａ，２ｂが用いられていない。固定的に備えられる背景（１）の背景カーテン１ａ，１ｂと、レール上をモータなどにより（あるいは手動で）移動する天井照明が設けられている。背景（１）を撮影時の背景として使用するときは、カメラ２１に近接する方向へ天井照明が移動し、背景（１）を撮影時の背景として使用しないときは、カメラ２１に離反する方向へ天井照明が移動するよう制御が行なわれる。
【０２１８】
本実施の形態においては、天井照明の移動機構は第６の実施の形態と同様であるため詳細な説明は繰返さない。また、背景カーテン１ａ，１ｂおよび天井照明の位置によって、前面照明の光量と側面照明のオン／オフが制御される。第７の実施の形態における照明の制御は、第４の実施の形態における照明の制御と同様であり詳細な説明は繰返さない。
【０２１９】
［第８の実施の形態］
図４０は、第８の実施の形態における写真自動販売機の構成を示す図であり、図４に対応する図である。
【０２２０】
図を参照して、本実施の形態においては第６の実施の形態における装置の構成と比較して、背景（１）〜（４）が略等間隔に４つ固定的に設置されており、レール上をモータなどにより（あるいは手動で）移動する天井照明が設けられている。
【０２２１】
本実施の形態においては、用いられる背景の手前側（カメラ２１に接近する側）に天井照明を移動させる。本実施の形態においては、天井照明の移動機構は第６の実施の形態と同様であるため詳細な説明は繰返さない。
【０２２２】
図４１は、第８の実施の形態における照明の制御を示す図である。
【０２２３】
図を参照して、前面にある背景（１）が選択された場合（位置範囲Ａ）には、前面照明１８ａ〜１８ｂの光量を最も弱くする（光量＝１とする）ことで、被写体への照明が明るくなり過ぎないように制御が行なわれる。背景（２）が選択された場合（位置範囲Ｂ）には、前面照明１８ａ〜１８ｂの光量を若干強くする（光量＝２とする）。背景（３）が選択された場合（位置範囲Ｃ）には、前面照明１８ａ〜１８ｂの光量をさらに強くする（光量＝３とする）。背景（４）が選択された場合（位置範囲Ｄ）には、前面照明１８ａ〜１８ｂの光量をさらに強くする（光量＝４とする）。
【０２２４】
また、それぞれの背景の近傍の側面に側面照明をそれぞれ設け、使用される背景に基づいて近傍の側面照明のみオンにするようにしてもよい。
【０２２５】
第４の実施の形態、第６から第８の実施形態のように装置が構成されている場合、天井照明の数を少なくすることができるとともに、どの立ち位置で撮影したとしても最適な照明効果が得られる。
【０２２６】
［その他］
なお、上述の実施の形態においては、背景の位置に応じて照明を切り替えることとしたが、背景の位置に応じて、カメラの絞り値（Ｆ値）を制御するようにしてもよい。すなわち、アップ撮影の場合絞りを絞り(Ｆ値＝大)、全身撮影の場合には絞りを開放する（Ｆ値＝小）ように制御するものである。
【０２２７】
また、背景部の位置に応じて、背景媒体に表される画像種類を変えるようにしてもよい。例えば、アップ撮影用のカーテンは前面照明に背景が近接するのでやや発色を濃いめにする、などである。また、全身撮影用カーテンには柄を入れ、アップ撮影用カーテンは無地にするなどしてもよい。
【０２２８】
さらに、全身撮影用はポーズが写りやすいのでお題撮影などをするためにクロマキーに適した背景にする、などが考えられる。
【０２２９】
上記実施の形態のように、従来より多くの数の背景カーテンを備える装置、または略中央付近に降下する背景カーテンを備える装置において、当該背景カーテンを自動で動作するように制御されている場合に、降下する背景カーテンがユーザの身体にぶつかる可能性が高くなる。
【０２３０】
従来の背後にまとめて背景カーテンを備える装置においても、上述の可能性があり、装置の床面に、危険防止用に「カーテンが下りてくるので立ち入り禁止だよ」などの注意表示を行ない、利用者が背景カーテンにあたらないようにするなどの対策がなされていた。しかしながら、上記第１〜第８の実施例の場合には、利用者の身体が背景カーテンに触れる可能性が高まる。
【０２３１】
そこで、降下する背景カーテンの近傍にセンサなどのユーザの有無を検出する装置を設け、ユーザがいない場合に背景カーテンを降下するように制御するのが好ましい。また、背景カーテンを降下する時には、ユーザにタッチパネルディスプレイ２２での操作を必要とする画面を表示するなど、ユーザを筐体側に誘導するように、タッチパネルディスプレイ２２での表示やスピーカ２３での出力で案内するように制御するのが好ましい。
【０２３２】
また、上記第６〜第８の実施の形態のように、背景カーテンとは独立して、設置されている背景の直下をくぐるように天井照明が移動する場合において、背景カーテンが降下したまま天井照明が移動すると、背景カーテンを巻き込んでしまい、装置が故障する原因となってしまうことが考えられる。
【０２３３】
そこで、背景カーテンの降下状態に応じて、天井照明の移動を制限するように装置を制御することが好ましい。背景カーテンの降下状態は、自動で背景カーテンが降下する場合は背景カーテンの降下を制御部１０２に指示すると共に、降下させた背景カーテンの位置をメモリなどに保持しておくことで判定が可能であり、手動で背景カーテンを降下させる場合には、センサーなどを設け検知することで判定が可能となる。
【０２３４】
上述の制御は、たとえば、天井照明を移動する前に、降下している背景カーテンを収納し（巻上）、収納（巻上）が完了したかを監視し、収納（巻上）が完了すれば、天井照明を移動するように制御し、エラーなどの理由により収納（巻上）が完了しない場合は、天井照明を移動しないように行なわれる。
【０２３５】
また、この場合において、天井照明の現在の位置から移動先の位置の間に降下している背景カーテンがあるかを判定し、降下している背景カーテンがある場合に上述の制御をするようにし、降下している背景カーテンがない場合は天井照明を移動するように制御してもよい。
【０２３６】
このとき、背景カーテンがエラーなどの理由により収納（巻上）不能の場合は、タッチパネルディスプレイ２２に、「店の従業員を呼んでね」などと表示する。そして、図示しない復旧ボタンなどを押下することにより、背景カーテン制御の復旧を行なえるようにする。
【０２３７】
このように、背景カーテンの状態によって、天井照明の移動を制御することにより、移動する天井照明が、背景カーテンを巻き込むことを防止し、装置の故障や背景カーテンの破損を防止することができる。
【０２３８】
さらに、第１、第３、第６、または第８の実施形態のように、複数の背景カーテンを備え、２つのカーテンの間にユーザが位置する程度のスペースがある場合には、ユーザがカーテンとカーテンとの間に挟まれてしまうことが考えられるという問題がある。
【０２３９】
このような問題を解決するために、先の撮影で使用し、降下している背景カーテンの巻上げが完了するのを確認して、次の撮影で使用する背景カーテンを降下するように制御することが好ましい。
【０２４０】
また、この場合に、背景カーテンの降下時に、ユーザを前方（筐体側）に誘導するようにタッチパネルディスプレイ２２の表示やスピーカ２３の出力で案内するように制御することが好ましい。
【０２４１】
これにより、利用者が複数のカーテンの間に挟まれることがなく、背景カーテンだけが撮影されてしまうような事態を防ぐことができる。
【０２４２】
［実施の形態における効果］
上述の実施の形態によると、背景部の背景媒体が被写体の移動を制限することができるため、撮影時に被写体を最適な位置に誘導して撮影することができ、その立ち位置において最適な照明効果を得やすいという効果がある。これにより、低コストで撮影の自由度は確保しつつ、撮影時の被写体位置を照明効果や撮影効果が十分に得られる位置に自然に誘導して美しい仕上がりの写真シートなどを提供することができるという効果がある。
【０２４３】
また、本装置のコンピュータ装置の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線等のネットワークを通じて、プログラムを提供することもできる。提供されるプログラム製品は、ハードディスク等のプログラム格納部にインストールされて実行される。なお、プログラム製品は、プログラム自体と、プログラムが記録された記録媒体とを含む。
【０２４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２４５】
【図１】本発明の実施の形態の１つにおける写真自動販売機の外観の具体例を示す図である。
【図２】写真自動販売機を背面である編集操作側から見た斜視図である。
【図３】写真自動販売機の機能構成の具体例を示す図である。
【図４】図１に示される写真自動販売機の撮影空間内の構成をその側部より見た図である。
【図５】選択された背景と、照明の制御との関係を示す図である。
【図６】本実施の形態における写真自動販売機の動作を示すフローチャートである。
【図７】図６の利用者設定（Ｓ６）の内容を示すフローチャートである。
【図８】図７のステップＳ１０１で表示される撮影方法選択画面の具体例を示す図である。
【図９】図７のステップＳ１０３で表示される背景（１）のカーテン選択画面を示す図である。
【図１０】図７のステップＳ１０６で表示される背景（２）のカーテン選択画面の具体例を示す図である。
【図１１】図７のステップＳ１０４でカーテンをセットするときに表示される画面の具体例を示す図である。
【図１２】図７のステップＳ１０７でカーテンをセットするときに表示される画面の具体例を示す図である。
【図１３】図７の利用者設定フローの変形例を示すフローチャートである。
【図１４】図１３のステップＳ１０１で表示される背景選択画面の具体例を示す図である。
【図１５】顔アップ撮影時の照明設定の具体例を示す図である。
【図１６】全身撮影時の照明設定の具体例を示す図である。
【図１７】変形例における利用者設定処理（図６のＳ６）の内容を示すフローチャートである。
【図１８】図１７のステップＳ１０３でディスプレイに表示される画面の具体例を示す図である。
【図１９】図１７のステップＳ１０５でディスプレイに表示される画面の具体例を示す図である。
【図２０】写真自動販売機の変形例を示す図である。
【図２１】本発明の第２の実施の形態における写真自動販売機の構成を示す図であり、図４に対応する図である。
【図２２】第２の実施の形態における照明の制御を示す図である。
【図２３】第２の実施の形態における利用者設定の内容を示すフローチャートである。
【図２４】本発明の第３の実施の形態における写真自動販売機の構成を示す図であり、図４に対応する図である。
【図２５】第３の実施の形態における照明の制御を示す図である。
【図２６】背景カーテン（１）が用いられる時の照明設定の具体例を示す図である。
【図２７】背景カーテン（４）が用いられる時の照明設定の具体例を示す図である。
【図２８】第３の実施の形態における利用者設定の内容を示すフローチャートである。
【図２９】図２８のステップＳ１０１で表示される位置選択画面の具体例を示す図である。
【図３０】本発明の第４の実施の形態における写真自動販売機の構成を示す図であり、図４に対応する図である。
【図３１】第４の実施の形態における照明の制御を示す図である。
【図３２】編集用のコンピュータ装置１０１ｂでの処理を示すフローチャートである。
【図３３】図３２の編集処理（Ｓ２６）の内容を示すフローチャートである。
【図３４】顔アップ撮影用編集画面の具体例を示す図である。
【図３５】全身撮影用編集画面の具体例を示す図である。
【図３６】本発明の第６の実施の形態における写真自動販売機の構成を示す図であり、図４に対応する図である。
【図３７】第６の実施の形態における天井照明の移動機構を斜めから見た図である。
【図３８】第６の実施の形態における天井照明の移動機構を正面から見た図である。
【図３９】第７の実施の形態における写真自動販売機の構成を示す図であり、図４に対応する図である。
【図４０】第８の実施の形態における写真自動販売機の構成を示す図であり、図４に対応する図である。
【図４１】第８の実施の形態における照明の制御を示す図である。
【符号の説明】
【０２４６】
１ａ，１ｂ，２ａ，２ｂ  背景カーテン、５  背景部、１２  プリンタ、１３  タブレットディスプレイ、１４  タッチペン、１８  照明装置、１８ａ〜１８ｄ  前方照明、１８ｆ，１８ｇ  天井照明、１８ｈ  側面照明、２１  カメラ、２２  タッチパネルディスプレイ、２４  ライブモニタ。
【図１】
2006010933.tif 000003
【図２】
2006010933.tif 000004
【図３】
2006010933.tif 000005
【図４】
2006010933.tif 000006
【図５】
2006010933.tif 000007
【図６】
2006010933.tif 000008
【図７】
2006010933.tif 000009
【図８】
2006010933.tif 000010
【図９】
2006010933.tif 000011
【図１０】
2006010933.tif 000012
【図１１】
2006010933.tif 000013
【図１２】
2006010933.tif 000014
【図１３】
2006010933.tif 000015
【図１４】
2006010933.tif 000016
【図１５】
2006010933.tif 000017
【図１６】
2006010933.tif 000018
【図１７】
2006010933.tif 000019
【図１８】
2006010933.tif 000020
【図１９】
2006010933.tif 000021
【図２０】
2006010933.tif 000022
【図２１】
2006010933.tif 000023
【図２２】
2006010933.tif 000024
【図２３】
2006010933.tif 000025
【図２４】
2006010933.tif 000026
【図２５】
2006010933.tif 000027
【図２６】
2006010933.tif 000028
【図２７】
2006010933.tif 000029
【図２８】
2006010933.tif 000030
【図２９】
2006010933.tif 000031
【図３０】
2006010933.tif 000032
【図３１】
2006010933.tif 000033
【図３２】
2006010933.tif 000034
【図３３】
2006010933.tif 000035
【図３４】
2006010933.tif 000036
【図３５】
2006010933.tif 000037
【図３６】
2006010933.tif 000038
【図３７】
2006010933.tif 000039
【図３８】
2006010933.tif 000040
【図３９】
2006010933.tif 000041
【図４０】
2006010933.tif 000042
【図４１】
2006010933.tif 000043